(57)【特許請求の範囲】
【請求項１】
一部が金属製である密閉されたキャビネット(２)上に、キャビネット(２)内外の通気を許す内部圧力調整弁(５)が設けられた屋外型テレビジョン受像機において、
キャビネット(２)内側に吸湿作用を有する結露防止用の調湿材(７)が取り付けられていることを特徴とする屋外型テレビジョン受像機。   
【発明の詳細な説明】
【技術分野】
【０００１】
本発明は、屋外等の風雨に晒される環境下にて使用されることを想定したテレビジョン受像機に関する。
【背景技術】
【０００２】
従来から、浴室等の湿気の多い環境下にて使用されることを想定して、キャビネットを密閉したテレビジョン受像機が提案されている(特許文献１参照)。同様のキャビネット構造は、屋外等の風雨に晒される環境下にて使用されることを想定したテレビジョン受像機にも適用される。
【０００３】
【特許文献１】特開２００６−１５８０９６号公報
【発明の開示】
【発明が解決しようとする課題】
【０００４】
キャビネットが密閉され、しかも屋外で使用されるから、気温の急激な変化により、キャビネット内の気圧が変化して、キャビネットが損傷する虞れがある。この対策として、キャビネットに内部圧力調整弁を設けて、キャビネット内外の空気の流通を許し、気温の急激な変化によるキャビネット内圧の変化を調整することが考えられる。
しかし、内部圧力調整弁によって、キャビネット内外の空気の流通を許すと、水蒸気がキャビネット内に入り込む。これにより、気温が下がると、内部に結露を生じ、キャビネット内部の電気部品に悪影響を及ぼす虞れがある。
本発明の目的は、キャビネット内圧変化の調整と、内部の結露発生の防止を両立させたテレビジョン受像機を提供することにある。
【課題を解決するための手段】
【０００５】
本発明は、一部が金属製である密閉されたキャビネット(２)上に、キャビネット(２)内外の通気を許す内部圧力調整弁(５)が設けられた屋外型テレビジョン受像機において、キャビネット(２)内側に吸湿作用を有する結露防止用の調湿材(７)が取り付けられていることを特徴とする。 
【発明の効果】
【０００６】
キャビネット(２)内の気圧の変化は、内部圧力調整弁(５)により調整することができるが、該内部圧力調整弁(５)によりキャビネット(２)外部の水蒸気が入る虞れがある。キャビネット(２)の外部温度が下がると、相対湿度が上がり、結露が発生しやすくなる。
従って、調湿材(７)にて水蒸気を吸収させ、相対湿度を下げて、結露発生を防止している。キャビネット(２)の内部温度が上昇した場合には、相対湿度は下がる。その際に、この調湿材(７)は内部に含んだ湿気を放出する。
このように、調湿材(７)と内部圧力調整弁(５)の組み合わせにより、長期間の屋外での気密性を保ち、且つキャビネット(２)内部の結露を長期間抑える効果を有する。
【発明を実施するための最良の形態】
【０００７】
以下、本発明の一実施例を図を用いて、詳述する。
図１は、本例のテレビジョン受像機(１)を前面から見た斜視図、図２は、後面から見た斜視図である。テレビジョン受像機(１)は、外観部品であるキャビネット(２)を具え、該キャビネット(２)は、液晶パネル又はプラズマディスプレイパネル等の受像部が配備される前キャビネット(10)と、内部からの熱を放熱する後キャビネット(11)から構成される。両キャビネット(10)(11)の境界線は、図１、図２に於いて線Ｌにて示される。
後キャビネット(11)はフィン(33)を形成した金属製の後フレーム(３)からなり、該後フレーム(３)は４つの細長の後フレーム構成片(30)(30)を矩形状に繋ぎ合わせて構成される。フィン(33)は後フレーム構成片(30)の全長に亘って延びている。前キャビネット(10)は、４つの前フレーム構成片(20)(20)を矩形状に繋ぎ合わせて構成される。後フレーム(３)の後面開口(31)には、後記の如く、封止板(４)が被さって、キャビネット(２)は密閉される。
本例に於けるテレビジョン受像機(１)は屋外で使用することを想定しており、キャビネット(２)が密閉していることにより、内部に雨水等が進入する虞れを防いでいる。内部回路の発熱により、高温になった内部空気が後フレーム(３)に接することにより、外部に放熱される。
【０００８】
各後フレーム構成片(30)は、具体的にはアルミニウムの押出し成形から形成される。即ち、後フレーム構成片(30)は、アルミニウムを押出し成形した長尺材(図示せず)から、所望の長さに切り出して構成され、後フレーム構成片(30)の端面(30a)は後フレーム構成片(30)の長手方向に対して約４５度傾いている。これにより、隣り合う後フレーム構成片(30)(30)(30)を互いに略直交して繋ぐことができる。
図３は、図１をＢ−Ｂ線を含む面にて破断した断面図である。後フレーム構成片(30)は、複数のフィン(33)(34)を多段に具えており、後フレーム(３)の後面開口(31)には、封止板(４)が被さる。これにより、後キャビネット(11)が密閉されているから、後キャビネット(11)内部に水等が進入することを防ぐことができる。また、フィン(33)を設けた金属製の後フレーム(３)が外向きに露出しているから、後キャビネット(11)が後フレーム(３)と封止板(４)によって密閉されていても、後キャビネット(11)内部からの熱は、外向きに放熱される。
【０００９】
図３に示すように、前キャビネット(10)内にて、受像部であるパネルユニット(５)の前には、透明なカバー板(50)が取り付けられている。カバー板(50)はガラス又はアクリルから形成されており、パネルユニット(５)を傷等から保護すると共に、防水効果を持たせている。換言すれば、パネルユニット(５)の前面が露出している構成に比して、カバー板(50)によって前キャビネット(10)内への水の進入を防止でき、防水効果が高い。
【００１０】
前記の如く、後フレーム(３)の後面開口(31)には、封止板(４)が被さって、後キャビネット(11)を密閉する。封止板(４)上の２箇所には、内部圧力調整弁(５)(５)が互いに離れて設けられ、封止板(４)上の内側にて、内部圧力調整弁(５)(５)の近傍には吸湿作用を有する調湿材(７)(７)が取り付けられている。内部圧力調整弁(５)(５)を設けているのは、前記の如く、キャビネット(２)内の気圧変化を緩和するためである。また、調湿材(７)(７)の取付け位置は、図３に示す位置に限定されないが、水蒸気が出入する内部圧力調整弁(５)(５)の近傍が好ましい。
【００１１】
図４は、内部圧力調整弁(５)を拡大した断面図である。弁本体(50)の上面にはキャップ(８)が被さり、該キャップ(８)の側面には空気流入用の孔(80)(80)が開設されている。弁本体(50)の下端部は、封止板(４)の内側にてナット(85)と螺合し、封止板(４)に取り付けられる。弁本体(50)の平面方向の中央部には、下面が開口した通気孔(51)が開設され、該通気孔(51)の上面は網目箇所(52)を形成する。該網目箇所(52)には通気フィルタ(６)が載置され、該通気フィルタ(６)は空気及び水蒸気は通すが、水は通さない。弁本体(50)の周部にはＯリング(53)が嵌まり、封止板(４)との密着性を高めている。
キャビネット(２)内部の空気は通気孔(51)、網目箇所(52)、通気フィルタ(６)、孔(80)を通って、キャビネット(２)の外部に放出される。同様に、キャビネット(２)の外部空気が孔(80)、通気フィルタ(６)、網目箇所(52)、通気孔(51)を通って、キャビネット(２)内部に入る。この際に、微量ではあるが、水蒸気が通気フィルタ(６)を通って、キャビネット(２)内部に入る。
【００１２】
キャビネット(２)の外部温度が下がると、後フレーム(３)が吸熱効果のあるアルミニウムから構成されるから、キャビネット(２)内部は急激に温度が下がる。当然に相対湿度が上がる。周知の如く、相対湿度とは、空気中の水蒸気量を空気が含むことができる水蒸気量で除したものであるから、相対湿度が１００％を越えれば、飽和水蒸気量を超えた分が結露となる。
従って、調湿材(７)にて水蒸気を吸収させ、相対湿度を下げて、結露発生を防止している。この調湿材(７)と内部圧力調整弁(５)の組み合わせにより、外部温度が下がっても、キャビネット(２)内圧の変化は軽微で、気密性を保っている。
【００１３】
この調湿材(７)の水分の吸収量には、限界がある。しかし、テレビジョン受像機に通電して、キャビネット(２)の内部温度が上昇した場合、相対湿度は下がる。その際に、この調湿材(７)は内部に含んだ湿気を放出する。また、キャビネット(２)の外部の湿度が低い場合、内部圧力調整弁(５)により、キャビネット(２)内部の湿気をキャビネット(２)外部に放出する機能をも有する。
このように、調湿材(７)と内部圧力調整弁(５)の組み合わせにより、長期間の屋外での気密性を保ち、且つキャビネット(２)内部の結露を長期間抑える効果を有する。
【００１４】
調湿材(７)には種々のものが考えられるが、出願人はその一例として、高吸水ポリマーを配合した合成ゴムを不織布で包んだシートを提案している。吸水性は、１ｇ当たり０.６ｇの水分を吸水し、比重は１.３であるが、この物性に限定されない。
該調湿材(７)のメーカーにて、ＪＩＳ  Ａ１４７０−１調湿建材の吸放湿性試験方法(湿度測定法)で周期定常吸放湿試験を行ったところ、吸放湿状態を示す重量変化が安定しており、特に高湿領域での性能が優れていることが確認できた。
また、該調湿材(７)のメーカーにて、ＪＩＳ  Ａ１４７０−２調湿建材の吸放湿性試験方法(密閉箱法)で吸放湿試験を行ったところ、８５％の高湿度の雰囲気から温湿度変化に良く追従していることが確認された。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１６】
【図１】本例のテレビジョン受像機を前面から見た斜視図である。
【図２】本例のテレビジョン受像機を後面から見た斜視図である。
【図３】図１をＢ−Ｂ線を含む面にて破断した断面図である。
【図４】内部圧力調整弁を拡大した断面図である。
【符号の説明】
【００１７】
(１)  テレビジョン受像機
(２)  キャビネット
(５)  内部圧力調整弁
(６)  通気フィルタ
(７)  調湿材
【図１】
0004425292.tif 000002
【図２】
0004425292.tif 000003
【図３】
0004425292.tif 000004
【図４】
0004425292.tif 000005